【手続補正書】
【提出日】平成22年7月6日(2010.7.6)
【手続補正１】
【補正対象書類名】特許請求の範囲
【補正対象項目名】全文
【補正方法】変更
【補正の内容】
【特許請求の範囲】
【請求項１】
ネットワークを介して通信する装置であって、
番組ソースからビデオ情報を受信するよう構成された入力手段と、
受信したビデオ情報から処理済みストリームを生成するよう構成され、かつ、前記ネットワークの特性に基づき該処理済みストリームを適応させるよう構成された処理ユニットと、
前記処理済みストリームを操作して出力ストリームを生成するよう構成された通信ユニットと、
前記ネットワークに前記出力ストリームを送信するよう構成された送信器と
を具備する装置。
【請求項２】
前記入力手段は、前記番組ソースからのビデオ情報を受信して解凍するものであり、前記ビデオ情報はＭＰＥＧフォーマットで受信される、請求項１の装置。
【請求項３】
前記入力手段は、第１番組ソースからのビデオ情報を受信して解凍し、前記入力手段は、同様に、第２番組ソースを受信して解凍し、前記入力手段は、前記第１番組ソースからの前記ビデオ情報と、前記第２番組ソースからの番組情報との両方を統合する合成ビデオストリームを生成する、請求項１の装置。
【請求項４】
前記入力手段は、第１番組ソースからのビデオ情報を受信して解凍し、前記入力手段は、第２番組ソースからの番組ガイド情報を受信し、前記入力手段は、前記ビデオ情報と前記番組ガイド情報とを合成して合成ビデオストリームを生成する、請求項１の装置。
【請求項５】
前記出力ストリームは、前記ビデオ情報のウエーブレット変換からなる、請求項１の装置。
【請求項６】
前記入力手段は、パソコンからの非圧縮ビデオ情報を受信して処理する、請求項１の装置。
【請求項７】
前記ネットワークの特性は該ネットワークの帯域幅を示すものからなる、請求項１の装置。
【請求項８】
前記送信器は、無線送信チャンネル情報に基づいてサブバンド符号化のエラー回復力を調整するために、前記無線送信チャンネル情報を用いる前記処理ユニットへ、前記無線送信チャンネル情報を提供するように構成されている、請求項１の装置。
【請求項９】
前記送信器がＩＥＥＥ８０２．１１プロトコルを利用する、請求項１の装置。
【請求項１０】
出力ストリームをネットワークへ提供するためのビデオ処理装置であって、
入力番組信号を受信するように構成された入力手段と、
前記入力番組信号を圧縮して、前記ネットワークの特性に基づき適応させられた処理済みストリームを生成する圧縮ユニットと、
前記処理済みストリームを操作して前記ネットワークに送信するための出力ストリームを生成するよう構成された前記通信ユニットと
を具備するビデオ処理装置。
【請求項１１】
前記ネットワークの特性は該ネットワークの帯域幅を示すものからなる、請求項１０の装置。
【請求項１２】
前記入力手段は、集積回路として実装される、請求項１０の装置。
【請求項１３】
前記処理済みストリームは、前記入力番組信号のウエーブレット変換を含む、請求項１０の装置。
【請求項１４】
ネットワーク上で通信するための装置であって、
番組ソースから受信した信号を処理するよう構成された入力手段と、
前記番組ソースから受信した信号を操作して、前記ネットワークの特性に基づきマッチさせられた符号化されたビデオストリームを生成するよう構成されたビデオ圧縮ユニットと、
前記符号化されたビデオストリームを操作して、それにより前記ネットワークに送信するための出力ストリームを生成するよう構成された通信ユニットと
を具備する装置。
【請求項１５】
前記入力手段は、二つ以上の番組ソースから信号を受信する、請求項１４の装置。
【請求項１６】
前記ネットワークの特性は該ネットワークの帯域幅を示すものからなる、請求項１４の装置。
【請求項１７】
前記ビデオ圧縮ユニットは、前記番組ソースからリアルタイムに受信した信号を操作するように構成されている、請求項１４の装置。
【請求項１８】
前記符号化されたビデオストリームは、エラー回復力の異なるレベルに対して独立して処理される、請求項１４の装置。
【請求項１９】
前記通信ユニットは、前記入力手段にフィードバック情報を提供し、該入力手段は、該フィードバック情報を用いて前記符号化されたビデオストリームについてエラー回復力の異なるレベルを決定する、請求項１４の装置。
【請求項２０】
前記通信ユニットは、一つ以上の無線送信装置へ結合されて、前記出力ストリームの一つ以上の放送を送信する、請求項１４の装置。
【請求項２１】
前記通信ユニットは、一つ以上のローカルエリアネットワーク送信装置へ結合されて、前記出力ストリームの一つ以上の放送を送信する、請求項１４の装置。
【請求項２２】
前記ビデオ圧縮ユニットと通信ユニットは、共通の集積回路で実装される、請求項１４の装置。
【請求項２３】
前記入力手段および前記通信ユニットはともに、単一に組み合わされた集積回路で実装される、請求項１４の装置。
【請求項２４】
前記符号化されたビデオストリームのビットレートが、前記ネットワークの特性に基づいて適応化される、請求項１４の装置。
【請求項２５】
前記符号化されたビデオストリームのフレームレートが、前記ネットワークの特性に基づいて適応化される、請求項１４の装置。
【請求項２６】
ネットワークを介して番組ソースから情報を見るための装置であって、
前記番組ソースからビデオ情報を受信し、該受信した情報から前記ネットワークの特性に基づき適応化された圧縮されたビットストリームを生成し、該圧縮されたビットストリームを該ネットワーク上に送信するように構成された基地ステーションと、
ディスプレイを有し、前記基地ステーションから前記ネットワーク介して前記圧縮されたビットストリームを受信し、前記圧縮されたビットストリームを復号化して前記ディスプレイで表示するための復号化情報を生成する復号器を含む、受信装置と
を具備する装置。
【請求項２７】
前記ネットワークは、ローカルエリアネットワーク及び広域ネットワークの少なくとも１つである、請求項２６の装置。
【請求項２８】
前記圧縮されたビットストリームが、３Ｄウエーブレット変換データの仕様に従う、請求項２６の装置。
【請求項２９】
前記圧縮されたビットストリームが、ネットワークの帯域幅に基づき適応化される、請求項２６の装置。
【請求項３０】
更に、前記復号器は、ネットワークでの送信中に失われたデータにより発生する欠点を隠蔽するように構成されている、請求項２６の装置。
【請求項３１】
番組ソースからビデオ情報を受信するステップと、
受信したビデオ情報から圧縮されたビットストリームを発生するステップであって、ネットワークの特性に基づき該圧縮されたビットストリームを適応化するステップを含むものと、
前記圧縮されたビットストリームを前記ネットワークに送信するステップと
を具備する方法。
【請求項３２】
前記ネットワークの特性をモニターして該ネットワークの特性を判定するステップを更に具備する、請求項３１の方法。
【請求項３３】
前記ネットワークは、ローカルエリアネットワーク及び広域ネットワークの少なくとも１つである、請求項３１の方法。
【請求項３４】
前記ビデオ情報を番組ガイド情報と合成して、前記ビデオ情報および前記番組ガイド情報をともに含む合成ビデオストリームを生成するステップを更に具備する、請求項３１の方法。
【請求項３５】
前記圧縮されたビットストリームの解像度は、複数のマルチ解像度サブバンドの１つとして選択される、請求項３１の方法。
【請求項３６】
一つ以上の因子を調整し、よりエラー回復力の高い送信器準備完了ストリームを生成するステップを更に具備する、請求項３１の方法。
【請求項３７】
前記ネットワークの特性は、ネットワークの帯域幅を尺度とする、請求項３１の方法。
【請求項３８】
ネットワーク上に処理済みビデオストリームを提供するための方法であって、
番組ソースから受信した信号を処理して前記ネットワークの特性に基づき適応化された処理済みビデオストリームを発生するステップと、
前記処理済みビデオストリームを前記ネットワーク上に送信するステップと
を具備する方法。
【請求項３９】
前記処理済みビデオストリームは、ビデオのサブバンドが不等エラー回復力を有するウエーブレット符号化ビデオストリームからなる、請求項３８の方法。
【請求項４０】
二つ以上の番組ソースからの情報を組み合わせて、合成ビデオストリームを生成する、請求項３８の方法。
【請求項４１】
前記ネットワークの特性は該ネットワークの帯域幅を示すものからなる、請求項３８の方法。
【請求項４２】
前記処理済みビデオストリームのビットレートが、前記ネットワークの特性に基づいて適応化される、請求項３８の方法。
【請求項４３】
前記処理済みビデオストリームが、インターネット上に伝搬される、請求項３８の方法。
【請求項４４】
基地ステーションから伝搬された送信を無線で受信して表示するための方法であって、
ネットワークを介して前記基地ステーションから伝搬される前記送信を受信するステップと、
前記基地ステーションから伝搬された前記送信を復号化するステップと、ここで、前記伝搬された前記送信は、前記ネットワークの特性に基づき前記基地ステーションにて適応化されたものであり、
復号化された前記送信から表示可能な出力を生成するステップと
を具備する方法。
【請求項４５】
前記送信を復号化することは、ウエーブレット復号化技法と一致する表示を構築することからなり、かつ、該復号化することは、前記送信に含まれるビデオストリームの伝送中に発生するビットエラーをキャンセルするよう実行される、請求項４４の方法。